(57)【要約】【課題】最も棟部に近い位置に敷設する屋根材の屋根材頂部から勾配屋根頂部までの距離が異なっても働き長さが調整できる棟換気装置及び屋根用板金役物の施工方法を提供すること。【解決手段】本発明の棟換気装置は、下地材１２の上面にスライド調整固定材３０を配置し、スライド調整固定材３０の上面３０Ｕに棟換気本体２０を配置し、スライド調整固定材３０の流れ長さ３０Ｌを、下地材１２の流れ長さ１２Ｌよりも長くし、棟換気本体２０をスライド調整固定材３０に固定具６０で棟換気本体２０の上面から留め付け、固定具６０によるスライド調整固定材３０への留め付け位置を、スライド調整固定材３０の流れ長さ３０Ｌ方向に変更することで働き長さが調整できることを特徴とする。【選択図】        図１
2020051037.tif 000002
【特許請求の範囲】
【請求項１】
野地板の上面に下地材が配置され、
最も棟部に近い位置に敷設する屋根材の屋根材頂部を前記下地材に当接し、
勾配屋根頂部の前記棟部に棟換気本体を配置する棟換気装置であって、
前記下地材の上面にスライド調整固定材を配置し、
前記スライド調整固定材の上面に前記棟換気本体を配置し、
前記スライド調整固定材の流れ長さを、前記下地材の流れ長さよりも長くし、
前記棟換気本体を前記スライド調整固定材に固定具で前記棟換気本体の上面から留め付け、
前記固定具による前記スライド調整固定材への留め付け位置を、前記スライド調整固定材の流れ長さ方向に変更することで働き長さが調整できる
ことを特徴とする棟換気装置。
【請求項２】
前記下地材に対して、前記スライド調整固定材を、前記スライド調整固定材の前記流れ長さ方向に変更して配置することで前記働き長さが調整できる
ことを特徴とする請求項１に記載の棟換気装置。
【請求項３】
前記下地材と前記スライド調整固定材とを一体に形成した
ことを特徴とする請求項１に記載の棟換気装置。
【請求項４】
前記固定具を、パッキン付き釘又はパッキン付きビスとした
ことを特徴とする請求項１から請求項３のいずれか１項に記載の棟換気装置。
【請求項５】
前記スライド調整固定材と前記棟換気本体との間にスライド調整水切を配置し、
前記スライド調整水切によって、前記スライド調整固定材の前記上面及び前面を覆う
ことを特徴とする請求項１から請求項４のいずれか１項に記載の棟換気装置。
【請求項６】
前記スライド調整水切の棟側を、下方に曲げた
ことを特徴とする請求項５に記載の棟換気装置。
【請求項７】
前記棟換気本体が配置されない前記棟部に配置する棟役物を有し、
前記スライド調整固定材の前記上面に前記棟役物を配置し、
前記スライド調整水切の棟側を、上方に曲げて前記棟役物の内面に当接させる
ことを特徴とする請求項５に記載の棟換気装置。
【請求項８】
前記下地材と前記スライド調整固定材との間にエプロン材を配置し、
前記エプロン材によって、前記スライド調整固定材の下面を覆う
ことを特徴とする請求項１から請求項７のいずれか１項に記載の棟換気装置。
【請求項９】
野地板の上面に下地材が配置され、
最も棟部に近い位置に敷設する屋根材の屋根材頂部を前記下地材に当接し、
勾配屋根頂部の前記棟部に棟換気本体を配置する棟換気装置の施工方法であって、
前記下地材の上面にスライド調整固定材を配置するスライド調整固定材配置工程と、
前記スライド調整固定材の上面に前記棟換気本体を配置する棟換気本体配置工程と、
前記棟換気本体を前記スライド調整固定材に固定具で前記棟換気本体の上面から留め付ける棟換気本体固定工程と
を有し、
前記固定具による前記スライド調整固定材への留め付け位置を、前記棟部から前記屋根材頂部までの長さによって、前記スライド調整固定材の流れ長さ方向に異ならせることで働き長さを調整する
ことを特徴とする棟換気装置の施工方法。
【請求項１０】
前記スライド調整固定材配置工程では、前記下地材に対して、前記スライド調整固定材を、前記スライド調整固定材の前記流れ長さ方向に変更して配置することで前記働き長さを調整する
ことを特徴とする請求項９に記載の棟換気装置の施工方法。
【請求項１１】
前記スライド調整固定材配置工程の前に、前記下地材の前記上面にエプロン材を配置するエプロン材配置工程を有し、
前記スライド調整固定材配置工程では、前記スライド調整固定材を前記エプロン材の上面に配置する
ことを特徴とする請求項９又は請求項１０に記載の棟換気装置の施工方法。
【請求項１２】
前記スライド調整固定材配置工程の後に、前記スライド調整固定材の前記上面にスライド調整水切を配置するスライド調整水切配置工程を有し、
前記棟換気本体配置工程では、前記スライド調整水切の上面に前記棟換気本体を配置する
ことを特徴とする請求項９から請求項１１のいずれか１項に記載の棟換気装置の施工方法。
【発明の詳細な説明】
【技術分野】
【０００１】
本発明は、勾配屋根頂部の棟部に棟換気本体を配置する棟換気装置、及びこの棟換気装置の施工方法に関する。
【背景技術】
【０００２】
特許文献１に開示されているような立平葺き屋根では、上端の棟から下端の軒までを、継ぎ目のない１枚の鋼板で覆うため、屋根材となる鋼板は屋根頂部に合わせて加工する。  しかし、近年では、短い屋根材を縦方向に繋ぐことができる立平横葺きが開発され脚光を浴びている。
【先行技術文献】
【特許文献】
【０００３】
【特許文献１】特開２０１１−２５２３００号公報
【発明の概要】
【発明が解決しようとする課題】
【０００４】
従来一般的な立平葺き屋根では、鋼板は屋根頂部に合わせて加工されるため、屋根頂部に取り付ける棟換気装置の取り付け位置を調整する必要がなかった。
しかし、短い屋根材を縦方向に繋ぐことができる立平横葺きでは、屋根材を屋根頂部位置に合わせて加工しないため、最も棟部に近い位置に敷設する屋根材の屋根材頂部から勾配屋根頂部までの距離が異なってしまう。
従って、屋根材頂部から勾配屋根頂部までの距離に応じた棟換気装置を揃える必要が生じるが、複数種のラインナップを揃えることは、製造面、施工面、更には在庫面での負担が大きい。
【０００５】
そこで本発明は、最も棟部に近い位置に敷設する屋根材の屋根材頂部から勾配屋根頂部までの距離が異なっても働き長さが調整できる棟換気装置及び棟換気装置の施工方法を提供することを目的とする。
【課題を解決するための手段】
【０００６】
請求項１記載の本発明の棟換気装置は、野地板１１の上面に下地材１２が配置され、最も棟部Ｘに近い位置に敷設する屋根材１３の屋根材頂部１３ａを前記下地材１２に当接し、勾配屋根頂部の前記棟部Ｘに棟換気本体２０を配置する棟換気装置であって、前記下地材１２の上面にスライド調整固定材３０を配置し、前記スライド調整固定材３０の上面３０Ｕに前記棟換気本体２０を配置し、前記スライド調整固定材３０の流れ長さ３０Ｌを、前記下地材１２の流れ長さ１２Ｌよりも長くし、前記棟換気本体２０を前記スライド調整固定材３０に固定具６０で前記棟換気本体２０の上面から留め付け、前記固定具６０による前記スライド調整固定材３０への留め付け位置を、前記スライド調整固定材３０の流れ長さ３０Ｌ方向に変更することで働き長さが調整できることを特徴とする。
請求項２記載の本発明は、請求項１に記載の棟換気装置において、前記下地材１２に対して、前記スライド調整固定材３０を、前記スライド調整固定材３０の前記流れ長さ３０Ｌ方向に変更して配置することで前記働き長さが調整できることを特徴とする。
請求項３記載の本発明は、請求項１に記載の棟換気装置において、前記下地材１２と前記スライド調整固定材３０とを一体に形成したことを特徴とする。
請求項４記載の本発明は、請求項１から請求項３のいずれか１項に記載の棟換気装置において、前記固定具６０を、パッキン付き釘又はパッキン付きビスとしたことを特徴とする。
請求項５記載の本発明は、請求項１から請求項４のいずれか１項に記載の棟換気装置において、前記スライド調整固定材３０と前記棟換気本体２０との間にスライド調整水切４０を配置し、前記スライド調整水切４０によって、前記スライド調整固定材３０の前記上面３０Ｕ及び前面３０Ｆを覆うことを特徴とする。
請求項６記載の本発明は、請求項５に記載の棟換気装置において、前記スライド調整水切４０の棟側を、下方に曲げたことを特徴とする。
請求項７記載の本発明は、請求項５に記載の棟換気装置において、前記棟換気本体２０が配置されない前記棟部Ｘに配置する棟役物９０を有し、前記スライド調整固定材３０の前記上面３０Ｕに前記棟役物９０を配置し、前記スライド調整水切４１の棟側を、上方に曲げて前記棟役物９０の内面に当接させることを特徴とする。
請求項８記載の本発明は、請求項１から請求項７のいずれか１項に記載の棟換気装置において、前記下地材１２と前記スライド調整固定材３０との間にエプロン材５０を配置し、前記エプロン材５０によって、前記スライド調整固定材３０の下面３０Ｄを覆うことを特徴とする。
請求項９記載の本発明の棟換気装置の施工方法は、野地板１１の上面に下地材１２が配置され、最も棟部Ｘに近い位置に敷設する屋根材１３の屋根材頂部１３ａを前記下地材１２に当接し、勾配屋根頂部の前記棟部Ｘに棟換気本体２０を配置する棟換気装置の施工方法であって、前記下地材１２の上面にスライド調整固定材３０を配置するスライド調整固定材配置工程と、前記スライド調整固定材３０の上面３０Ｕに前記棟換気本体２０を配置する棟換気本体配置工程と、前記棟換気本体２０を前記スライド調整固定材３０に固定具６０で前記棟換気本体２０の上面から留め付ける棟換気本体固定工程とを有し、前記固定具６０による前記スライド調整固定材３０への留め付け位置を、前記棟部Ｘから前記屋根材頂部１３ａまでの長さによって、前記スライド調整固定材３０の流れ長さ３０Ｌ方向に異ならせることで働き長さを調整することを特徴とする。
請求項１０記載の本発明は、請求項９に記載の棟換気装置の施工方法において、前記スライド調整固定材配置工程では、前記下地材１２に対して、前記スライド調整固定材３０を、前記スライド調整固定材３０の前記流れ長さ３０Ｌ方向に変更して配置することで前記働き長さを調整することを特徴とする。
請求項１１記載の本発明は、請求項９又は請求項１０に記載の棟換気装置の施工方法において、前記スライド調整固定材配置工程の前に、前記下地材１２の前記上面にエプロン材５０を配置するエプロン材配置工程を有し、前記スライド調整固定材配置工程では、前記スライド調整固定材３０を前記エプロン材５０の上面に配置することを特徴とする。
請求項１２記載の本発明は、請求項９から請求項１１のいずれか１項に記載の棟換気装置の施工方法において、前記スライド調整固定材配置工程の後に、前記スライド調整固定材３０の前記上面３０Ｕにスライド調整水切４０を配置するスライド調整水切配置工程を有し、前記棟換気本体配置工程では、前記スライド調整水切４０の上面に前記棟換気本体２０を配置することを特徴とする。
【発明の効果】
【０００７】
本発明の棟換気装置によれば、固定具によるスライド調整固定材への留め付け位置によって働き長さが調整できるため、同一寸法の棟換気本体を用いることができる。
【図面の簡単な説明】
【０００８】
【図１】本発明の一実施例による棟換気装置を示す図
【図２】同実施例による棟換気装置の施工手順を示す図
【図３】本実施例による棟換気装置の異なる施工状態を示す図
【図４】本発明の実施例による棟換気装置に用いる棟役物を示す図
【図５】本発明の他の実施例による棟換気装置を示す図
【発明を実施するための形態】
【０００９】
本発明の第１の実施の形態による棟換気装置は、下地材の上面にスライド調整固定材を配置し、スライド調整固定材の上面に棟換気本体を配置し、スライド調整固定材の流れ長さを、下地材の流れ長さよりも長くし、棟換気本体をスライド調整固定材に固定具で棟換気本体の上面から留め付け、固定具によるスライド調整固定材への留め付け位置を、スライド調整固定材の流れ長さ方向に変更することで働き長さが調整できるものである。
本実施の形態によれば、最も棟部に近い位置に敷設する屋根材の屋根材頂部から勾配屋根頂部までの距離が異なっても、固定具によるスライド調整固定材への留め付け位置によって働き長さが調整できるため、同一寸法の棟換気本体を用いることができる。
【００１０】
本発明の第２の実施の形態は、第１の実施の形態による棟換気装置において、下地材に対して、スライド調整固定材を、スライド調整固定材の流れ長さ方向に変更して配置することで働き長さが調整できるものである。
本実施の形態によれば、固定具によるスライド調整固定材への留め付け位置の変更とともに、下地材に対するスライド調整固定材の位置の変更ができることで、調整できる働き長さを更に長くできる。
【００１１】
本発明の第３の実施の形態は、第１の実施の形態による棟換気装置において、下地材とスライド調整固定材とを一体に形成したものである。
本実施の形態によれば、下地材の固定によってスライド調整固定材も野地板に固定できるため、施工性に優れている。
【００１２】
本発明の第４の実施の形態は、第１から第３のいずれかの実施の形態による棟換気装置において、固定具を、パッキン付き釘又はパッキン付きビスとしたものである。
本実施の形態によれば、止水性を向上させることができる。
【００１３】
本発明の第５の実施の形態は、第１から第４のいずれかの実施の形態による棟換気装置において、スライド調整固定材と棟換気本体との間にスライド調整水切を配置し、スライド調整水切によって、スライド調整固定材の上面及び前面を覆うものである。
本実施の形態によれば、スライド調整固定材の雨水による濡れを防止でき、耐久性を高めることができる。
【００１４】
本発明の第６の実施の形態は、第５の実施の形態による棟換気装置において、スライド調整水切の棟側を、下方に曲げたものである。
本実施の形態によれば、スライド調整水切の下方への曲げによって桁方向でリブ構造となり、棟換気装置の水平レベルを保つことができる。
【００１５】
本発明の第７の実施の形態は、第５の実施の形態による棟換気装置において、棟換気本体が配置されない棟部に配置する棟役物を有し、スライド調整固定材の上面に棟役物を配置し、スライド調整水切の棟側を、上方に曲げて棟役物の内面に当接させるものである。
本実施の形態によれば、スライド調整水切の棟側を棟役物の補強として利用でき、棟役物の水平レベルを保つことができる。
【００１６】
本発明の第８の実施の形態は、第１から第７のいずれかの実施の形態による棟換気装置において、下地材とスライド調整固定材との間にエプロン材を配置し、エプロン材によって、スライド調整固定材の下面を覆うものである。
本実施の形態によれば、スライド調整固定材の雨水による濡れを防止でき、耐久性を高めることができる。
【００１７】
本発明の第９の実施の形態による棟換気装置の施工方法は、下地材の上面にスライド調整固定材を配置するスライド調整固定材配置工程と、スライド調整固定材の上面に棟換気本体を配置する棟換気本体配置工程と、棟換気本体をスライド調整固定材に固定具で棟換気本体の上面から留め付ける棟換気本体固定工程とを有し、固定具によるスライド調整固定材への留め付け位置を、棟部から屋根材頂部までの長さによって、スライド調整固定材の流れ長さ方向に異ならせることで働き長さを調整するものである。
本実施の形態によれば、最も棟部に近い位置に敷設する屋根材の屋根材頂部から勾配屋根頂部までの距離が異なっても、固定具によるスライド調整固定材への留め付け位置によって働き長さが調整できるため、同一寸法の棟換気本体を用いて施工ができる。
【００１８】
本発明の第１０の実施の形態は、第９の実施の形態による棟換気装置の施工方法であって、スライド調整固定材配置工程では、下地材に対して、スライド調整固定材を、スライド調整固定材の流れ長さ方向に変更して配置することで働き長さを調整するものである。
本実施の形態によれば、固定具によるスライド調整固定材への留め付け位置の変更とともに、下地材に対するスライド調整固定材の位置の変更ができることで、調整できる働き長さを更に長くできる。
【００１９】
本発明の第１１の実施の形態は、第９又は第１０の実施の形態による棟換気装置の施工方法であって、スライド調整固定材配置工程の前に、下地材の上面にエプロン材を配置するエプロン材配置工程を有し、スライド調整固定材配置工程では、スライド調整固定材をエプロン材の上面に配置するものである。
本実施の形態によれば、スライド調整固定材の雨水による濡れを防止でき、耐久性を高めることができる。
【００２０】
本発明の第１２の実施の形態は、第９から第１１のいずれかの実施の形態による棟換気装置の施工方法であって、スライド調整固定材配置工程の後に、スライド調整固定材の上面にスライド調整水切を配置するスライド調整水切配置工程を有し、棟換気本体配置工程では、スライド調整水切の上面に棟換気本体を配置するものである。
本実施の形態によれば、スライド調整固定材の雨水による濡れを防止でき、耐久性を高めることができる。
【実施例】
【００２１】
以下本発明の一実施例による棟換気装置について説明する。
図１は本実施例による棟換気装置を示す図であり、図１（ａ）は屋根材頂部が建造物の勾配屋根頂部に最も近い状態で施工された棟換気装置の断面図、図１（ｂ）は屋根材頂部が建造物の勾配屋根頂部から最も遠い状態で施工された棟換気装置の断面図、図１（ｃ）は棟換気装置の主要部材を示す断面図、図１（ｄ）は図１（ａ）に示す施工状態での棟換気装置の写真、図１（ｅ）は図１（ｂ）に示す施工状態での棟換気装置の写真である。
【００２２】
本実施例は、野地板１１の上面に下地材１２が配置され、最も棟部Ｘ（図３参照）に近い位置に敷設する屋根材１３の屋根材頂部１３ａを下地材１２に当接し、勾配屋根頂部の棟部Ｘに棟換気本体２０を配置する棟換気装置である。野地板１１の棟側端部の一部には換気用開口１４を形成している。なお、本実施例は、建造物が片流れ屋根の場合を示しているが、片流れ屋根に限られるものではなく、切妻屋根や寄棟屋根の陸棟部や下屋の壁際部においても実施できる。
【００２３】
棟換気本体２０は、建造物の屋根面に配置される換気天面板材２１と、建造物の壁面に配置される換気垂下板材２２と、換気天面板材２１の下面に取り付ける止水箱２３とで構成される。換気天面板材２１の軒先側には、本体取付面２１ａを有している。本体取付面２１ａは、止水箱２３の底面と同じ高さに形成されている。
スライド調整固定材３０は、下地材１２の上面に、下地材１２よりも軒先側に突出させて配置される。棟換気本体２０は、スライド調整固定材３０の上面３０Ｕに配置される。スライド調整固定材３０には、木材、樹脂、又は鉄板などの金属素材を用いることができる。スライド調整固定材３０の流れ長さ３０Ｌは、下地材１２の流れ長さ１２Ｌよりも長くしている。
【００２４】
スライド調整水切４０は、スライド調整固定材３０と棟換気本体２０との間に配置される。スライド調整水切４０は、スライド調整固定材３０の上面３０Ｕを覆う水切上面４０Ｕとスライド調整固定材３０の前面３０Ｆを覆う水切前面４０Ｆと、スライド調整水切４０の棟側を下方に曲げて形成した水切後面４０Ｂとで構成されている。水切上面４０Ｕの流れ長さ４０Ｌは、スライド調整固定材３０の流れ長さ３０Ｌよりも長くしている。
スライド調整固定材３０の上面３０Ｕ及び前面３０Ｆをスライド調整水切４０によって覆うことで、スライド調整固定材３０の雨水による濡れを防止でき、耐久性を高めることができる。また、水切後面４０Ｂによって桁方向でリブ構造となり、棟換気装置の水平レベルを保つことができる。
【００２５】
エプロン材５０は、下地材１２とスライド調整固定材３０との間に配置される。エプロン材５０は、スライド調整固定材３０の下面３０Ｄを覆うエプロン上面５０Ｕと、エプロン上面５０Ｕの軒先側を下方に曲げて形成したエプロン前面５０Ｆとで構成されている。
スライド調整固定材３０の下面３０Ｄをエプロン材５０によって覆うことで、スライド調整固定材３０の雨水による濡れを防止でき、耐久性を高めることができる。
【００２６】
棟換気本体２０は、スライド調整固定材３０に固定具６０で棟換気本体２０の上面から本体取付面２１ａにおいて留め付けられる。固定具６０は、パッキン付き釘又はパッキン付きビスとすることで、止水性を向上させることができる。換気垂下板材２２は、建造物の壁面又は受け材に固定具６１によって固定される。
【００２７】
止水材７０は、突出させたスライド調整固定材３０と、最も棟部Ｘに近い位置に敷設する屋根材１３との間に配置し、下地材１２の軒先側を覆う。止水材７０は、弾性力を有する平型止水であり、例えば発泡弾性部材を用いることができる。
野地板１１の開口端部には捨水切８０を取り付けている。
【００２８】
固定具６０によるスライド調整固定材３０への留め付け位置を、スライド調整固定材３０の流れ長さ３０Ｌ方向に変更することで働き長さが調整できる。図１（ａ）及び図１（ｄ）では、固定具６０による留め付け位置を、スライド調整固定材３０の軒先側とし、図１（ｂ）及び図１（ｅ）では、固定具６０による留め付け位置を、スライド調整固定材３０の棟側としている。
また、下地材１２に対して、スライド調整固定材３０を、スライド調整固定材３０の流れ長さ３０Ｌ方向に変更して配置することでも働き長さが調整できる。図１（ａ）及び図１（ｄ）では、下地材１２に対して、スライド調整固定材３０を軒先側に配置し、図１（ｂ）及び図１（ｅ）では、下地材１２に対して、スライド調整固定材３０を棟側に配置している。
【００２９】
図２は同実施例による棟換気装置の施工手順を示す図であり、図２（ａ）はエプロン材配置工程、図２（ｂ）はスライド調整固定材配置工程、図２（ｃ）はスライド調整水切配置工程、図２（ｄ）は棟換気本体配置工程である。
【００３０】
野地板１１の棟側端部の一部には換気用開口１４が形成され、野地板１１の上面には下地材１２が固定具１２ｘで固定されている。捨水切８０は、下地材１２の固定によって、野地板１１の開口端部に取り付けている。下地材１２には、最も棟部Ｘに近い位置に敷設する屋根材１３の屋根材頂部１３ａが当接している。
【００３１】
図２（ａ）に示すように、下地材１２の上面にエプロン材５０を固定する。
図２（ａ）に示すエプロン材配置工程では、止水材７０を屋根材１３の棟側上面に配置した後に、エプロン上面５０Ｕを下地材１２の上面に載せ、エプロン上面５０Ｕの棟側端部と下地材１２の棟側端部とを揃え、エプロン上面５０Ｕで固定具５０ｘによりエプロン材５０を下地材１２に固定する。
【００３２】
図２（ｂ）に示すように、下地材１２の上面にスライド調整固定材３０を固定する。
図２（ｂ）に示すスライド調整固定材配置工程では、スライド調整固定材３０をエプロン上面５０Ｕに載せ、スライド調整固定材３０の棟側端部とエプロン上面５０Ｕの棟側端部とを揃え、スライド調整固定材３０の上面３０Ｕで固定具３０ｘによりスライド調整固定材３０を下地材１２に固定する。
【００３３】
図２（ｃ）に示すように、スライド調整固定材３０の上面３０Ｕにスライド調整水切４０を固定する。
図２（ｃ）に示すスライド調整水切配置工程では、スライド調整水切４０をスライド調整固定材３０に載せ、スライド調整水切４０の水切前面４０Ｆをスライド調整固定材３０の前面３０Ｆに当接させ、水切前面４０Ｆで固定具４０ｘによりスライド調整水切４０をスライド調整固定材３０に固定する。
【００３４】
図２（ｄ）に示すように、スライド調整固定材３０の上面３０Ｕに棟換気本体２０を配置する。
図２（ｄ）に示す棟換気本体配置工程では、止水箱２３をスライド調整水切４０に載せ、換気垂下板材２２を建造物の壁面又は受け材に当接させ、スライド調整水切４０の上面に棟換気本体２０を配置する。本体取付面２１ａは、スライド調整固定材３０及びスライド調整水切４０の上面に配置される。
【００３５】
棟換気本体配置工程の後に、棟換気本体固定工程が行われる。
棟換気本体固定工程では、棟換気本体２０をスライド調整固定材３０に固定具６０で棟換気本体２０の上面から留め付ける。棟換気本体固定工程の後の状態が図１（ａ）に示す状態である。
【００３６】
図３は、本実施例による棟換気装置の異なる施工状態を示す図であり、図３（ａ）は図１（ａ）に示す屋根材頂部が建造物の勾配屋根頂部に最も近い状態で施工された棟換気装置の断面図、図３（ｂ）は図３（ａ）よりも屋根材頂部が建造物の勾配屋根頂部から離れた状態で施工された棟換気装置の断面図、図３（ｃ）は図１（ｂ）に示す屋根材頂部が建造物の勾配屋根頂部から最も遠い状態で施工された棟換気装置の断面図である。
【００３７】
図３（ａ）では、下地材１２に対して、スライド調整固定材３０を軒先側に配置し、図３（ｂ）では、下地材１２に対して、スライド調整固定材３０を棟側に配置している。
このように、下地材１２に対して、スライド調整固定材３０を、棟部Ｘから屋根材頂部１３ａまでの長さによって、スライド調整固定材３０の流れ長さ３０Ｌ方向に変更して配置することで、働き長さを調整することができる。
【００３８】
図３（ｂ）では、固定具６０による留め付け位置を、スライド調整固定材３０の軒先側とし、図３（ｃ）では、固定具６０による留め付け位置を、スライド調整固定材３０の棟側としている。
【００３９】
このように、固定具６０によるスライド調整固定材３０への留め付け位置を、棟部Ｘから屋根材頂部１３ａまでの長さによって、スライド調整固定材３０の流れ長さ３０Ｌ方向に異ならせることで働き長さを調整することができる。
従って、最も棟部Ｘに近い位置に敷設する屋根材１３の屋根材頂部１３ａから勾配屋根頂部までの距離が異なっても、下地材１２に対するスライド調整固定材３０の位置の変更ができるとともに固定具６０によるスライド調整固定材３０への留め付け位置の変更ができるため、同一寸法の棟換気本体２０を用いて施工ができる。
【００４０】
図４は本発明の実施例による棟換気装置に用いる棟役物を示す図であり、図４（ａ）は主要部材を示す断面図、図４（ｂ）から図４（ｄ）は施工手順を示す断面図である。
【００４１】
棟役物９０は、棟換気本体２０が配置されない棟部Ｘにおいて、スライド調整固定材３０の上面３０Ｕに配置する。
棟役物９０は、建造物の屋根面に配置される棟役物天面板材９１と、建造物の壁面に配置される棟役物垂下板材９２とで構成される。棟役物天面板材９１の軒先側には、棟役物取付面９１ａを有している。
【００４２】
棟役物９０の施工に用いるスライド調整水切４１は、スライド調整固定材３０の上面３０Ｕを覆う水切上面４１Ｕとスライド調整固定材３０の前面３０Ｆを覆う水切前面４１Ｆと、スライド調整水切４１の棟側を上方に曲げて形成した水切後面４１Ｂとで構成されている。
エプロン材５０は、スライド調整固定材３０の下面３０Ｄを覆うエプロン上面５０Ｕと、エプロン上面５０Ｕの軒先側を下方に曲げて形成したエプロン前面５０Ｆとで構成されている。
【００４３】
棟役物９０の施工においても、図２（ａ）に示すエプロン材配置工程、及び図２（ｂ）に示すスライド調整固定材配置工程が行われる。
図２（ｂ）に示すスライド調整固定材配置工程の後に、図４（ａ）に示すように、スライド調整固定材３０の上面３０Ｕにスライド調整水切４１を固定する。
【００４４】
図４（ａ）に示すスライド調整水切配置工程では、スライド調整水切４１をスライド調整固定材３０に載せ、スライド調整水切４１の水切前面４１Ｆをスライド調整固定材３０の前面３０Ｆに当接させ、水切前面４１Ｆで固定具４１ｘによりスライド調整水切４１をスライド調整固定材３０に固定する。
【００４５】
図４（ｃ）に示すように、スライド調整固定材３０の上面３０Ｕに棟役物９０を配置する。
図４（ｃ）に示す棟役物配置工程では、棟役物取付面９１ａをスライド調整水切４１に載せ、棟役物垂下板材９２を建造物の壁面又は受け材に当接させ、スライド調整水切４１の上面に棟役物９０を配置する。棟役物取付面９１ａは、スライド調整固定材３０及びスライド調整水切４１の上面に配置される。
棟役物配置工程の後に、棟役物固定工程が行われる。
棟役物固定工程では、棟役物９０をスライド調整固定材３０に固定具６０で棟役物９０の上面から留め付ける。棟役物固定工程の後の状態が図４（ｄ）に示す状態である。
図４（ｄ）に示すように、水切後面４１Ｂが棟役物取付面９１ａの内面に当接することで、スライド調整水切４１の棟側を棟役物９０の補強として利用でき、棟役物９０の水平レベルを保つことができる。
【００４６】
なお、本実施例では、下地材１２とスライド調整固定材３０とを別部材として、下地材１２に対してスライド調整固定材３０を変更して配置できる構成としたが、下地材１２とスライド調整固定材３０とを一体に形成してもよい。下地材１２とスライド調整固定材３０とを一体形成することで、下地材１２の固定によってスライド調整固定材３０も野地板１１に固定できるため、施工性に優れる。
【００４７】
図５は本発明の他の実施例による棟換気装置を示す図であり、図５（ａ）は両棟の陸棟部に用いた棟換気装置の断面図、図５（ｂ）は下屋の壁際部に用いた棟換気装置の断面図である。なお、上記実施例と同一機能部材には同一の符号を付けて説明を省略する。
【００４８】
図５（ａ）に示す建造物では、垂木１５は、棟木１６の上部から両側方に斜め下方に傾斜して設けている。垂木１５の上部には野地板１１を設け、野地板１１の上面には屋根材１３が敷設される。
図５（ａ）に示す本実施例では、棟換気本体２０は、一対の換気天面板材２１と、これら換気天面板材２１の下面に取り付ける止水箱３３とで構成され、換気垂下板材２２を備えていない。
【００４９】
図５（ｂ）に示す建造物では、垂木１５の棟側端面には外壁下地材１７が配置されている。
図５（ｂ）に示す本実施例では、換気垂下板材２２を、上方に折り曲げて外壁下地材１７の外表面に配置している。換気垂下板材２２の外表面には、屋根下葺材１８や外装材１９が更に配置される。
図５に示すように、棟換気装置は、切妻屋根や寄棟屋根の陸棟部や下屋の壁際部においても用いることができる。
【産業上の利用可能性】
【００５０】
本発明は、片流れ屋根だけでなく両流れ屋根及び下屋においても適用できる。
【符号の説明】
【００５１】
１１  野地板
１２  下地材
１２Ｌ  流れ長さ
１２ｘ  固定具
１３  屋根材
１３ａ  屋根材頂部
１４  換気用開口
１５  垂木
１６  棟木
１７  外壁下地材
１８  屋根下葺材
１９  外装材
２０  棟換気本体
２１  換気天面板材
２１ａ  本体取付面
２２  換気垂下板材
２３  止水箱
３０  スライド調整固定材
３０Ｄ  下面
３０Ｆ  前面
３０Ｌ  流れ長さ
３０Ｕ  上面
４０  スライド調整水切
４０Ｂ  水切後面
４０Ｆ  水切前面
４０Ｌ  流れ長さ
４０Ｕ  水切上面
４０ｘ  固定具
４１  スライド調整水切
４１Ｂ  水切後面
４１Ｆ  水切前面
４１Ｕ  水切上面
４１ｘ  固定具
５０  エプロン材
５０Ｆ  エプロン前面
５０Ｕ  エプロン上面
５０ｘ  固定具
６０  固定具
６１  固定具
７０  止水材
８０  捨水切
９０  棟役物
９１  棟役物天面板材
９１ａ  棟役物取付面
９２  棟役物垂下板材
Ｘ  棟部
【図１】
2020051037.tif 000003
【図２】
2020051037.tif 000004
【図３】
2020051037.tif 000005
【図４】
2020051037.tif 000006
【図５】
2020051037.tif 000007